(57)【要約】【課題】プラグの差込みが容易であり、また、確実に防水性を確保できるコンセント装置を提供する。【解決手段】コンセント装置１は、外部側の壁材３には開口３Ａが設けられ、開口３Ａを開いた状態と、開口３Ａを閉鎖した状態との間を回動可能な蓋部１０を備えてなり、蓋部１０が開口３Ａを開いた状態では、コンセント３２は開口３Ａから外部へ露出し、蓋部１０が開口３Ａを閉鎖した状態では、コンセント３２は回動して外壁部２の内部へ収容される。【選択図】図１
2010218910.tif 000002
【特許請求の範囲】
【請求項１】
パネルに電源供給用のコンセントが取り付けられてなるコンセント装置であって、
前記パネルに開口が設けられ、
前記開口を開いた状態と、前記開口を閉鎖した状態との間を移動可能な蓋部を備えてなり、
前記コンセントは、前記蓋部が前記開口を開いた状態では、前記開口から外部側へ露出し、前記蓋部が前記開口を閉鎖した状態では、前記パネルの奥側に収容されるように連動することを特徴とするコンセント装置。
【請求項２】
請求項１記載のコンセント装置であって、
前記蓋部は、その上部が前記開口の上部又は側部に回動可能に取り付けられており、前記開口を閉鎖した状態と、前記パネルに対して手前に回動して前記開口を開いた状態との間を回動可能であることを特徴とするコンセント装置。
【請求項３】
請求項２記載のコンセント装置であって、
前記コンセントは前記開口の上部又は側部に回動可能に取り付けられており、前記蓋部が回動するのに連動して、前記開口から外部側へ露出した状態と、前記パネルの奥側に収容された状態との間で回動可能であることを特徴とするコンセント装置。
【請求項４】
請求項１から３のうち何れか１項記載のコンセント装置であって、
前記蓋部が前記開口を閉鎖した状態で前記蓋部をロックする鍵機構を備えることを特徴とするコンセント装置。
【発明の詳細な説明】
【技術分野】
【０００１】
本発明は、屋外に設置するのに好適な防水機能を有するコンセント装置に関する。
【背景技術】
【０００２】
従来より、建物外部において、例えば、電気自動車の充電を行うなどのために、屋外にコンセントが設けられることがあるが、このような屋外に設けられたコンセントは雨に曝されることが多く、漏電の原因となってしまう。このため、コンセントに防水対策を施す必要がある。
【０００３】
コンセントの防水対策方法として、例えば、特許文献１に記載されているように、プラグの差込口を下向きにする方法（例えば、特許文献１参照）や、防水カバーやゴムパッキンなどで防水性を確保する方法（例えば、特許文献２参照）が用いられている。
【先行技術文献】
【特許文献】
【０００４】
【特許文献１】特開昭５８―７８３７４号公報
【特許文献２】特開２００２―２３１３７３号公報
【発明の概要】
【発明が解決しようとする課題】
【０００５】
ここで、特許文献１のように差込口を下向きにする方法ではプラグを差込みにくく、使い勝手が悪い。また、特許文献２のように防水カバーやゴムパッキンなどで防水性を確保する方法では、防水カバーやゴムパッキンに隙間が生じてしまうと防水性が低下するという問題があった。
【０００６】
本発明は、上記の問題に鑑みなされたものであり、その目的は、プラグの差込みが容易であり、また、確実に防水性を確保できるコンセント装置を提供することである。
【課題を解決するための手段】
【０００７】
本発明のコンセント装置は、パネルに電源供給用のコンセントが取り付けられてなるコンセント装置であって、前記パネルに開口が設けられ、前記開口を開いた状態と、前記開口を閉鎖した状態との間を移動可能な蓋部を備えてなり、前記コンセントは、前記蓋部が前記開口を開いた状態では、前記開口から外部側へ露出し、前記蓋部が前記開口を閉鎖した状態では、前記パネルの奥側に収容されるように連動することを特徴とする。
【０００８】
上記のコンセント装置において、前記蓋部は、その上部が前記開口の上部又は側部に回動可能に取り付けられており、前記開口を閉鎖した状態と、前記パネルに対して手前に回動して前記開口を開いた状態との間を回動可能であってもよい。
【０００９】
また、前記コンセントは前記開口の上部又は側部に回動可能に取り付けられており、前記蓋部が回動するのに連動して、前記開口から外部側へ露出した状態と、前記パネルの奥側に収容された状態との間で回動可能であってもよい。
また、前記蓋部が前記開口を閉鎖した状態で前記蓋部をロックする鍵機構を備えてもよい。
【発明の効果】
【００１０】
本発明によれば、コンセントの使用時には、コンセントにプラグを取り付けた状態で蓋部により開口を閉鎖すれば、コンセントとともにプラグが外壁内に収容されるため、確実にコンセントが濡れるのを防止できる。また、コンセントの差込み時には、蓋部を開けば、コンセント部が開口より露出するため、容易に接続作業を行うことができる。
【図面の簡単な説明】
【００１１】
【図１】本実施形態のコンセント装置の構成を示す鉛直断面図であり、蓋部を閉じた様子を示す。
【図２】本実施形態のコンセント装置の構成を示す鉛直断面図であり、蓋部を開く様子（その１）を示す。
【図３】本実施形態のコンセント装置の構成を示す鉛直断面図であり、蓋部を開く様子（その２）を示す。
【図４】本実施形態のコンセント装置の構成を示す鉛直断面図であり、蓋部を閉じる様子を示す。
【図５】本実施形態のコンセント装置の構成を示す鉛直断面図であり、プラグを取り付ける様子を示す。
【図６】本実施形態のコンセント装置の構成を示す鉛直断面図であり、プラグを取り付け、蓋部を閉じた様子を示す。
【図７】蓋部を開いた状態における正面図である。
【発明を実施するための形態】
【００１２】
図１〜図６は、本実施形態のコンセント装置１の構成を示す鉛直断面図であり、図１は蓋部を閉じた状態を、図２及び図３は蓋部を開く様子を、図４は蓋部を閉じる様子を、図５は、プラグを取り付ける様子を、図６は、プラグを取り付け蓋部を閉じた様子を示す。また、図７は、図３に示すように蓋部を開いた状態における正面図である。
【００１３】
図１に示すように、本実施形態のコンセント装置１は、例えば、建物の外壁部２に設けられるものである。外壁部２は、外部側及び内部側の壁材３の間が中空に形成されており、外部側の壁材３には開口３Ａが設けられている。開口３Ａには水平方向に支軸２０が架け渡されている。コンセント装置１は、支軸２０を中心として回動可能なコンセント部３０と、蓋部１０とにより構成される。
【００１４】
コンセント部３０は、支軸２０により回動可能に支持された板材３５と、板材３５の裏面に取り付けられたコンセント３２と、により構成される。コンセント３２には外壁部２内を通る電線３４により電力が供給されている。また、図７に示すように、板材３５には、コンセント３２の差込口に対応する位置に設けられた開口部が形成され、また、板材３５の側部には突出部３１が設けられている。
【００１５】
壁材３の外面の開口３Ａの上部にはロック機構４０が取り付けられている。このロック機構４０は、例えば、板材１３をその両側から挟持し、あるいは、鋼製の板材１３をマグネットで吸着するなどにより、図３に示すように、蓋部１０を開いた状態で保持することができる。また、外側の壁材３の内面の開口３Ａの下部及び内側の壁材３の内面の支軸２０と略同じ高さの位置には夫々マグネット４１、４２が取り付けられている。
【００１６】
蓋部１０は、支軸２０に回動可能に取り付けられた板材１３と、板材１３に固定されたガイド部材１１とにより構成される。また、板材１３の先端にはマグネット１３Ａと、鍵１３Ｂが取り付けられており、このマグネット１３Ａが開口３Ａの下部に取り付けられたマグネット４１に吸着されることで、図１に示すように、蓋材１０は開口３Ａを閉鎖した状態で保持され、この状態で鍵１３Ｂにより蓋材１０を開口３Ａを閉鎖した状態でロックすることができる。また、コンセント部３０の板材３５は、先端に取付けられたマグネット３５Ａが、内側の壁材３に取り付けられたマグネット４２に吸着されることにより、水平となった状態で保持される。
【００１７】
ガイド部材１１には、支軸２０を中心とする円弧状に延びるガイド溝１２が設けられている。このガイド溝１２には板材３５の突出部３１が係合し、図２に示すように、蓋部１０が所定角度開くと、突出部３１がガイド溝１２の一端に当接するように形成されている。したがって、この状態から更に蓋部１０を開くと、コンセント部３０は蓋部１０とともに回動して、図３に示すように、板材３５の下端部が壁材３の内面の開口３Ａの下部周縁に当接し、鉛直下向きとなって壁材３の開口３Ａを閉鎖する状態となる。かかる状態において、蓋部１０の板材１３はロック機構４０により保持され、コンセント部３０のマグネット３５Ａが開口３Ａの下部に取り付けられたマグネット４１に吸着され、開口３Ａを閉鎖した状態で保持される。
【００１８】
一方、図３に示す状態から、蓋部１０を閉じる向きに所定角（ガイド溝１２の円周角分）回動すると、図４に示すように、突出部３１がガイド溝１２の他端に当接し、この状態から更に蓋部１０を閉じると、コンセント部３０は蓋部１０とともに回転して図１の状態に戻る。
【００１９】
常時は、図１に示すように、蓋部１０は、外側の壁材３に沿うように略鉛直下方を向き、開口３Ａを閉鎖している。この際、蓋部１０は、鍵１３Ｂにより回転できないようにロックされている。
【００２０】
コンセントを取り付ける際には、まず、蓋部１０の鍵１３Ｂを解除する。そして、蓋部１０を、支軸２０を中心に上方に回転させ、図３に示すように、蓋部１０が上方に向いた状態まで回転させることにより、コンセント部３０が開口３Ａから外壁部２の表面に露出した状態とする。この状態で、ロック機構４０により蓋部１０を固定すると、コンセント部３０が外壁部２の内側へ回動できなくなるので、図５に示すように、コンセント３２の差込口差込口３３に端子５２を差し込むことができる。
【００２１】
次に、蓋部１０を支軸２０を中心に下方に向かって回転させ、図６に示すように、蓋部１０が略鉛直になるまで回転させることで、蓋部１０により開口３Ａが閉鎖されることとなる。また、コンセント部３０は水平方向まで回転し、板材３５のマグネット３５Ａが内側の壁材３に取り付けられたマグネット４１に吸着されるため、この状態で保持される。なお、プラグ５０に接続されたコード５１は、蓋部１０と外側の壁材３との間を通って外部へ延びている。このように開口３Ａが蓋部１０により閉鎖されることで、外部で雨が降っていてもプラグ５０やコンセント部３０が濡れることを防止できる。
【００２２】
プラグ５０を取り外す場合には、蓋部１０を上方に向かって回転させればよい。これにより、図３を参照して説明したように、コンセント部３０が開口３Ａより外壁部２の表面に露出するため、プラグ５０を取り外すことができる。なお、上記のように板材３５の下端が外部側の壁材３の内面の開口３Ａの周縁と当接することで、プラグ５０を取り外す際に、コンセント部３０が外側に回動することはない。
【００２３】
プラグ５０を取り外した後は、再度、図４を参照して説明したのと同様に、蓋部１０が下方を向くように回転させて、開口３Ａを蓋部１０により閉鎖する。そして、蓋部１０の鍵１３Ｂにより、蓋部１０が開かないようにロックする。
【００２４】
以上説明したように、本実施形態によれば、プラグ５０をコンセント部３０に取り付けた状態で、蓋部１０を回転させることで、コンセント部３０が外壁部２の内部に収容されるとともに、壁材３の開口３Ａが蓋部１０により閉鎖されるため、確実にコンセント部３０やプラグ５０が濡れることを防止できる。
【００２５】
また、プラグ５０を取り付ける際には、コンセント部３０は外壁部２の壁面に露出しているため、容易にプラグ５０を水平方向に差し込むことができる。
【００２６】
また、プラグ５０の不使用時には、蓋部１０を鍵１３Ｂによりロックすることで、コンセント部３０が外壁部２の表面に露出することがなく、盗電を防止できる。
【００２７】
また、蓋部１０にガイド溝１２が形成されたガイド部材１１を取り付けるとともにコンセント部３０の板材３５に突出部３１を設け、このガイド溝１２の端部にコンセント部３０の突出部３１が当接した状態で蓋部１０を回転させることにより、蓋部１０に連動させてコンセント部３０を回動させることとしたため、蓋部１０を上下方向に幅広く回動させる場合であっても、コンセント部３０の回動する角度を所定の角度に抑えることができる。
【００２８】
なお、本実施形態では、蓋部１０にガイド溝１２が形成されたガイド部材１１を取り付けるとともに、コンセント部３０に突出部３１を設け、突出部３１がガイド溝１２の端部に当接した状態で、蓋部１０を回転させることにより、コンセント部３０を回転させることとしたが、これに限らず、蓋部１０とコンセント部３０を直接接続して一体化してもよい。
【００２９】
また、本実施形態では、開口３Ａの上部に支軸２０を設け、この支軸２０に蓋部１０及びコンセント部３０を上下方向に回動可能に取り付けるものとしたが、これに限らず、開口３Ａの一方の側部に支軸を設け、この支軸に蓋部１０及びコンセント部３０を横方向に回動可能に取り付けるものとしてもよい。
【００３０】
また、本実施形態では、コンセント部３０を、開口３Ａの上部に回転可能に接続することにより、開口３Ａから外部に露出した状態と、外壁部２の内部に収容された状態とを取れるようにしたが、これに限らず、開口３Ａから外部に露出した状態から水平方向に移動することにより、外壁部２の内部に収容された状態となるように構成してもよく、要するに、蓋部１０を開くとコンセント部３０が開口３Ａから外壁部２の表面に露出し、蓋部１０を閉じると、コンセント部３０が外壁部２の内部に収容されるように、蓋部１０とコンセント部３０とが連動する構成であればよい。
【００３１】
また、本実施形態では、外壁部２の外側の壁材３に開口３Ａを設け、この開口３Ａの上部に蓋部１０及びコンセント部３０を回動可能に取り付けることとしたが、これに限らず、筐体に開口を設け、この開口に蓋部及びコンセント部を取り付けることとしてもよく、要するに開口を設けることができるパネル材であれば本発明のコンセントの取付構造を適用できる。
【符号の説明】
【００３２】
１  コンセント装置                      ２  外壁部
３  壁材                                ３Ａ  開口
１０  蓋部                              １１  ガイド部材
１２  ガイド溝                          １３  板材
１３Ａ  マグネット                      １３Ｂ  鍵
２０  支軸                              ３０  コンセント部
３１  突出部                            ３２  コンセント
３３  差込口                            ３４  電線
３５  板材                              ３５Ａ  マグネット
４０  ロック機構                        ４１  マグネット
５０  プラグ                            ５１  コード
５２  端子
【図１】
2010218910.tif 000003
【図２】
2010218910.tif 000004
【図３】
2010218910.tif 000005
【図４】
2010218910.tif 000006
【図５】
2010218910.tif 000007
【図６】
2010218910.tif 000008
【図７】
2010218910.tif 000009